(57)【要約】【課題】１台の液晶プロジェクタで３D映像を表示する場合のフリッカを低減させることができるようにする。【解決手段】液晶プロジェクタには、左目用の映像Lと右目用の映像Rが２４Hz周期で入力される。液晶プロジェクタのパネル駆動部は、図５Aに示されるように、最初に、液晶への印加電圧を正転させて映像L1を液晶パネルに書き込み、次に、液晶への印加電圧を正転させて映像R1を液晶パネルに書き込む。その次に、パネル駆動部は、液晶への印加電圧を反転させて映像L1を液晶パネルに書き込み、次に、液晶への印加電圧を反転させて映像R1を液晶パネルに書き込む。本発明は、例えば、３D映像を表示する液晶プロジェクタに適用できる。【選択図】図５
2008306335.tif 000002
【特許請求の範囲】
【請求項１】
左目用の映像信号と右目用の映像信号に基づいて３次元の映像を投影する液晶プロジェクタにおいて、
正転および反転した印加電圧を交互に加える必要のある液晶パネルと、
左目用かまたは右目用の映像信号のうちの一方を第１の映像信号、他方を第２の映像信号とし、前記液晶パネルに印加される電圧が正転または反転の状態のうちのいずれか一方を第１の状態、他方を第２の状態として、前記液晶パネルを、前記第１の映像信号に応じた前記第１の状態、前記第２の映像信号に応じた前記第１の状態、前記第１の映像信号に応じた前記第２の状態、前記第２の映像信号に応じた前記第２の状態の順で駆動する駆動回路と
を備える液晶プロジェクタ。
【請求項２】
前記液晶プロジェクタは、２次元の映像を投影することも可能であり、
前記駆動回路は、前記２次元の映像を投影するときと、前記３次元の映像を投影するときとで前記液晶パネルの駆動方式を切り替える
請求項１に記載の液晶プロジェクタ。
【請求項３】
前記第１の映像信号と第２の映像信号を記憶する第１および第２のメモリと、
前記第１および第２のメモリに対する映像信号の読み出しおよび書き込みを制御するメモリ制御回路と
をさらに備え、
前記メモリ制御回路は、前記第１のメモリに第１の時刻の前記第１の映像信号と第２の映像信号を書き込む間に、前記第２のメモリに記憶されている前記第１の時刻より１つ前の時刻の前記第１の映像信号と第２の映像信号を、前記第１の映像信号、前記第２の映像信号、前記第１の映像信号、前記第２の映像信号の順でそれぞれ２回読み出す
請求項１に記載の液晶プロジェクタ。
【請求項４】
正転および反転した印加電圧を交互に加える必要のある液晶パネルを備え、左目用の映像信号と右目用の映像信号に基づいて３次元の映像を投影する液晶プロジェクタの制御方法において、
左目用かまたは右目用の映像信号のうちの一方を第１の映像信号、他方を第２の映像信号とし、前記液晶パネルに印加される電圧が正転または反転の状態のうちのいずれか一方を第１の状態、他方を第２の状態として、前記液晶パネルを、前記第１の映像信号に応じた前記第１の状態、前記第２の映像信号に応じた前記第１の状態、前記第１の映像信号に応じた前記第２の状態、前記第２の映像信号に応じた前記第２の状態の順で駆動する
ステップを含む液晶プロジェクタの制御方法。
【発明の詳細な説明】
【技術分野】
【０００１】
本発明は、液晶プロジェクタおよび液晶プロジェクタの制御方法に関し、特に、１台の液晶プロジェクタで３次元の映像を表示する場合に用いて好適な液晶プロジェクタおよび液晶プロジェクタの制御方法に関する。
【背景技術】
【０００２】
映画館で上映される映像は、以前はフィルムで撮影され、フィルムで上映されていたものが、最近では、いわゆるデジタルシネマと呼ばれるように、デジタル信号で記録され、各映画館へ伝送された映像信号を用いて上映されるようになってきている。
【０００３】
映画館では、伝送されたデジタルの映像信号を、例えば、液晶デバイスを用いて映像を投影する液晶プロジェクタで再生し、映像としてスクリーン上に表示させる。
【０００４】
近年、映画館で上映される映像には、３次元の立体映像（以下、３D映像という）を表示させるように撮影された３Dコンテンツもある。
【０００５】
従来、液晶プロジェクタによって３D映像を投影する場合には、２台の液晶プロジェクタを用いる手法が一般的であった（例えば、特許文献１参照）。この場合、一方の液晶プロジェクタは右目用の映像を投影し、他方の液晶プロジェクタは左目用の映像を投影する。
【０００６】
また、近年では、１台の液晶プロジェクタで３D映像を投影することも試みられている。
【０００７】
図１乃至図３を参照して、１台の液晶プロジェクタで３D映像を投影する場合の従来の方式について説明する。換言すれば、図１乃至図３を参照して説明する方式は、通常の２次元の映像（２D映像）を投影するときと同様の方式で３D映像を投影するようにした場合の例である。
【０００８】
図１は、３D映像を投影する３D映像投影システムの構成の一例を示している。
【０００９】
３D映像投影システムでは、デジタルシネマ用の３D映像の映像信号としての、左目用（L側）の映像信号と右目用（R側）の映像信号が、２４Hｚ周期で液晶プロジェクタ１に供給される。
【００１０】
液晶プロジェクタ１が映像を投影する方向の前方には、液晶プロジェクタ１からの光（映像）を遮光または通過させる光学シャッタ２と、L側またはR側に対応する偏向方向に、入射される光を偏光する偏光素子３が配置される。光学シャッタ２および偏光素子３には、一般に液晶素子が用いられる。
【００１１】
液晶プロジェクタ１では、液晶パネル１Aに、R側またはL側の映像信号に対応する映像が順次書き込まれ、そこに書込まれた映像が、図示せぬ光源によって投影される。即ち、液晶プロジェクタ１から出射された映像の光が、光学シャッタ２を通過して、偏光素子３で所定の偏向方向に偏光され、スクリーン４に表示される。
【００１２】
ユーザは偏光メガネ５を装着し、左目には左目用の映像の光が、右目には右目用の映像の光が入射されることで、３D映像を見ることができる。
【００１３】
ところで、液晶デバイスは、液晶物質の劣化などを防止するため、１画面単位などの所定のタイミングで印加電圧の極性を反転して、DC成分の積分値がゼロとなるように駆動する、いわゆる交流駆動を行う必要がある。ここで、印加電圧の極性の一方を正転、それと反対の極性を反転という。
【００１４】
例えば、液晶プロジェクタ１が時系列の２Dの映像A，B，Cを順次表示する場合、液晶プロジェクタ１は、図２Aに示されるように、最初に、液晶パネル１Aの液晶への印加電圧を正転させて映像Aを表示し、その次に、液晶パネル１Aの液晶への印加電圧を反転させて映像Aを表示する。そして、次の映像Bを表示する場合にも、液晶プロジェクタ１は、最初に、液晶パネル１Aの液晶への印加電圧を正転させて映像Bを表示した後、液晶パネル１Aの液晶への印加電圧を反転させて映像Bを表示する。映像Cについても同様である。
【００１５】
従って、２D映像の表示と同じ方式で３D映像を表示させるとすると、液晶プロジェクタ１は、図２Bに示されるように、あるタイミングで１枚目のL側の映像L1を正転により表示し、次に映像L1を反転により表示する。さらに次の時間には、液晶プロジェクタ１は、１枚目のR側の映像R1を正転により表示し、次に映像R1を反転により表示することになる。
【００１６】
液晶パネル１Aに書き込まれる映像（パネル映像）と、そのときの正転または反転かを表す駆動極性、および光学シャッタ２を開閉するタイミングについてまとめると、図３に示すようになる。
【００１７】
T1時間に、映像L1が正転により液晶パネル１Aに書き込まれた後、T2時間において、映像L1が反転により液晶パネル１Aに書き込まれる。またT2時間においては、光学シャッタ２が開かれる。T2時間に液晶パネル１Aに書き込まれる映像は、T1時間に書き込んだ映像と同一の映像であるので、T2時間に液晶パネル１Aに映像L1を書き込んでいる間、常に光学シャッタ２が開いていても問題はないからである。
【００１８】
同様に、T3時間に映像R1が正転により液晶パネル１Aに書き込まれた後、T4時間において、映像R1が反転により液晶パネル１Aに書き込まれるとともに、光学シャッタ２が開かれる。
【００１９】
このように、従来の液晶プロジェクタ１は、２４Hｚ周期で供給されるL側およびR側の映像信号を用いて、映像L（正転）、映像L（反転）、映像R（正転）、映像R（反転）の順で、映像をスクリーン４に投影することによって、３D映像を表示する。
【００２０】
【特許文献１】特開平８−３３１６０２号公報
【発明の開示】
【発明が解決しようとする課題】
【００２１】
しかしながら、上述した従来の方式では、L側およびR側を対とする１枚の映像を２４Hz周期でしか表示することができないので、フリッカがひどく視認に耐えられるものではなかった。
【００２２】
本発明は、このような状況に鑑みてなされたものであり、１台の液晶プロジェクタで３D映像を表示する場合のフリッカを低減させることができるようにするものである。
【課題を解決するための手段】
【００２３】
本発明の一側面の液晶プロジェクタは、左目用の映像信号と右目用の映像信号に基づいて３次元の映像を投影する液晶プロジェクタにおいて、正転および反転した印加電圧を交互に加える必要のある液晶パネルと、左目用かまたは右目用の映像信号のうちの一方を第１の映像信号、他方を第２の映像信号とし、前記液晶パネルに印加される電圧が正転または反転の状態のうちのいずれか一方を第１の状態、他方を第２の状態として、前記液晶パネルを、前記第１の映像信号に応じた前記第１の状態、前記第２の映像信号に応じた前記第１の状態、前記第１の映像信号に応じた前記第２の状態、前記第２の映像信号に応じた前記第２の状態の順で駆動する駆動回路とを備える。
【００２４】
前記液晶プロジェクタは、２次元の映像を投影することも可能であり、前記駆動回路には、前記２次元の映像を投影するときと、前記３次元の映像を投影するときとで前記液晶パネルの駆動方式を切り替えるようにさせることができる。
【００２５】
前記第１の映像信号と第２の映像信号を記憶する第１および第２のメモリと、前記第１および第２のメモリに対する映像信号の読み出しおよび書き込みを制御するメモリ制御回路とをさらに設け、前記メモリ制御回路には、前記第１のメモリに第１の時刻の前記第１の映像信号と第２の映像信号を書き込む間に、前記第２のメモリに記憶されている前記第１の時刻より１つ前の時刻の前記第１の映像信号と第２の映像信号を、前記第１の映像信号、前記第２の映像信号、前記第１の映像信号、前記第２の映像信号の順でそれぞれ２回読み出すようにさせることができる。
【００２６】
本発明の一側面の液晶プロジェクタの制御方法は、正転および反転した印加電圧を交互に加える必要のある液晶パネルを備え、左目用の映像信号と右目用の映像信号に基づいて３次元の映像を投影する液晶プロジェクタの制御方法において、左目用かまたは右目用の映像信号のうちの一方を第１の映像信号、他方を第２の映像信号とし、前記液晶パネルに印加される電圧が正転または反転の状態のうちのいずれか一方を第１の状態、他方を第２の状態として、前記液晶パネルを、前記第１の映像信号に応じた前記第１の状態、前記第２の映像信号に応じた前記第１の状態、前記第１の映像信号に応じた前記第２の状態、前記第２の映像信号に応じた前記第２の状態の順で駆動するステップを含む。
【００２７】
本発明の一側面においては、左目用かまたは右目用の映像信号のうちの一方を第１の映像信号、他方を第２の映像信号とし、液晶パネルに印加される電圧が正転または反転の状態のうちのいずれか一方を第１の状態、他方を第２の状態として、液晶パネルが、第１の映像信号に応じた第１の状態、第２の映像信号に応じた第１の状態、第１の映像信号に応じた第２の状態、第２の映像信号に応じた第２の状態の順で駆動される。
【発明の効果】
【００２８】
本発明の一側面によれば、１台の液晶プロジェクタで３D映像を表示する場合のフリッカを低減させることができる。
【発明を実施するための最良の形態】
【００２９】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３０】
本発明の一側面の液晶プロジェクタは、左目用の映像信号と右目用の映像信号に基づいて３次元の映像を投影する液晶プロジェクタ（例えば、図４の液晶プロジェクタ１１）において、正転および反転した印加電圧を交互に加える必要のある液晶パネル（例えば、図４の液晶パネル２５）と、左目用かまたは右目用の映像信号のうちの一方を第１の映像信号、他方を第２の映像信号とし、前記液晶パネルに印加される電圧が正転または反転の状態のうちのいずれか一方を第１の状態、他方を第２の状態として、前記液晶パネルを、前記第１の映像信号に応じた前記第１の状態、前記第２の映像信号に応じた前記第１の状態、前記第１の映像信号に応じた前記第２の状態、前記第２の映像信号に応じた前記第２の状態の順で駆動する駆動回路（例えば、図４の制御部２７）とを備える。
【００３１】
本発明の一側面の液晶プロジェクタは、前記第１の映像信号と第２の映像信号を記憶する第１および第２のメモリ（例えば、図７のバンク２３Aおよび２３B）と、前記第１および第２のメモリに対する映像信号の読み出しおよび書き込みを制御するメモリ制御回路（例えば、図４のパネル駆動部２４）とをさらに備え、前記メモリ制御回路は、前記第１のメモリに第１の時刻の前記第１の映像信号と第２の映像信号を書き込む間に、前記第２のメモリに記憶されている前記第１の時刻より１つ前の時刻の前記第１の映像信号と第２の映像信号を、前記第１の映像信号、前記第２の映像信号、前記第１の映像信号、前記第２の映像信号の順でそれぞれ２回読み出す。
【００３２】
本発明の一側面の液晶プロジェクタの制御方法は、正転および反転した印加電圧を交互に加える必要のある液晶パネルを備え、左目用の映像信号と右目用の映像信号に基づいて３次元の映像を投影する液晶プロジェクタ（例えば、図４の液晶プロジェクタ１１）の制御方法において、左目用かまたは右目用の映像信号のうちの一方を第１の映像信号、他方を第２の映像信号とし、前記液晶パネルに印加される電圧が正転または反転の状態のうちのいずれか一方を第１の状態、他方を第２の状態として、前記液晶パネルを、前記第１の映像信号に応じた前記第１の状態、前記第２の映像信号に応じた前記第１の状態、前記第１の映像信号に応じた前記第２の状態、前記第２の映像信号に応じた前記第２の状態の順で駆動するステップ（例えば、図８のステップＳ４，Ｓ６，Ｓ８，Ｓ１０）を含む。
【００３３】
以下、図を参照して、本発明の実施の形態について説明する。
【００３４】
図４は、本発明を適用した３D映像投影システムの一実施の形態の構成例を示している。
【００３５】
図４の３D映像投影システムは、液晶プロジェクタ１１、光学シャッタ２、偏光素子３、およびスクリーン４により構成され、液晶プロジェクタ１１は、３D映像をスクリーン４に投影する。
【００３６】
即ち、図４の３D映像投影システムにおいては、図１における場合と同様に、液晶プロジェクタ１１から出射された映像の光が、光学シャッタ２を通過して、偏光素子３で所定の偏向方向に偏光され、スクリーン４に投影される。左目用の映像の光が液晶プロジェクタ１１から出射された場合には、偏光素子３は光を左目用の偏光方向に偏光させ、右目用の映像の光が液晶プロジェクタ１１から出射された場合には、偏光素子３は光を右目用の偏光方向に偏光させる。右目用の偏光方向と左目用の偏光方向は、例えば直交する角度である。
【００３７】
ユーザは偏光メガネを装着し、左目には左目用の映像の光が、右目には右目用の映像の光が入射されることで、スクリーン４上に映し出された映像を３D映像として見ることができる。
【００３８】
なお、液晶プロジェクタ１１は、２D映像についても勿論表示することができるが、以下では、主に液晶プロジェクタ１１が３D映像を表示する場合について説明し、２D映像を表示する場合については必要に応じて補足的に説明する。
【００３９】
液晶プロジェクタ１１は、映像信号入力部２１、操作部２２、フレームメモリ２３、パネル駆動部２４、液晶パネル２５、通信部２６、制御部２７、およびドライブ２８により構成される。また、ドライブ２８には、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア２９を必要に応じて装着することが可能である。
【００４０】
映像信号入力部２１には、左目用の映像信号と右目用の映像信号が同時に、２４Hz周期で入力されてくる。映像信号入力部２１は、入力された左目用および右目用の映像信号を制御部２７に供給する。なお、以下において、左目用と右目用、または時系列に入力される各映像を区別する場合、図２および図３における場合と同様に、映像L1，L2，L3，・・・および映像R1，R2，R3，・・と表す。また、添え字の数が同一の映像に対応する映像信号は、映像信号入力部２１に同時に入力されたものを表す。
【００４１】
操作部２２は、図示せぬ操作ボタン、表示部などから構成され、操作者からの所定の操作を受け付ける。操作者の操作に対応する操作信号が、操作部２２から制御部２７に供給される。例えば、操作者は、操作部２２を操作して、２D映像を投影するか、または３D映像を投影するかを表す投影モードの設定をすることが可能であり、設定された投影モードについての操作信号が操作部２２から制御部２７に供給される。
【００４２】
フレームメモリ２３は、映像信号入力部２１から供給された映像信号、換言すれば、液晶パネル２５に書き込む映像を一時的に記憶する。フレームメモリ２３は、図７を参照して後述するように２バンク構成となっており、映像信号の書き込みまたは読み出しが、２つのバンク２３Aおよび２３B（図７）に対して交互に行われる。
【００４３】
パネル駆動部２４は、例えば、駆動回路により構成され、制御部２７からの駆動制御信号に基づいて、液晶パネル２５を駆動する。パネル駆動部２４は、液晶への印加電圧を正転または反転させて映像信号に対応する所定の映像を液晶パネル２５に書き込むが、上述したように液晶物質の劣化などを防止するため、DC成分の積分値がゼロとなるように液晶パネル２５を駆動する（交流駆動する）。液晶パネル２５に書き込まれた映像に対応する光が、図示せぬ光源によって液晶プロジェクタ１１から出射され、スクリーン４に投影される。
【００４４】
通信部２６は、制御部２７から供給される制御信号を光学シャッタ２または偏光素子３に供給する。光学シャッタ２に供給される制御信号は、シャッタの開閉を制御する制御信号であり、偏光素子３に供給される制御信号は、偏光素子３の偏光方向を制御する制御信号である。
【００４５】
制御部２７は、例えば、CPU（Central Processing Unit）または制御回路などにより構成され、液晶プロジェクタ１１の各部を制御する。例えば、制御部２７は、映像信号入力部２１から供給された映像信号をフレームメモリ２３に書き込むとともに、フレームメモリ２３から映像信号を読み出し、その読み出した映像信号に対応する駆動制御信号をパネル駆動部２４に供給する。また、制御部２７は、液晶パネル２５に書き込まれる映像に対応して、通信部２６を介して光学シャッタ２または偏光素子３に制御信号を供給することで、光学シャッタ２の開閉、または、偏光素子３の偏光方向を制御する。
【００４６】
ドライブ２８は、リムーバブルメディア２９を駆動し、そこに記録された映像信号を読み出し、制御部２７に供給したり、制御部２７から供給される映像信号をリムーバブルメディア２９に書き込む。
【００４７】
以上のように構成される液晶プロジェクタ１１において、３D映像を投影する場合の駆動制御について、図５および図６を参照して説明する。
【００４８】
映像信号入力部２１には、映像L1およびR1、映像L2およびR2、映像L3およびR3、・・・・の順で映像信号が入力され、フレームメモリ２３に順次記憶される。制御部２７は、フレームメモリ２３から映像信号を読み出し、その読み出した映像信号に対応する駆動制御信号をパネル駆動部２４に供給する。パネル駆動部２４は、制御部２７からの駆動制御信号に基づいて、図５Aに示されるような液晶パネル２５の駆動を行う。すなわち、パネル駆動部２４は、最初に、液晶パネル２５の液晶への印加電圧を正転させて映像L1を液晶パネル２５に書き込む。次に、パネル駆動部２４は、同じく印加電圧を正転させて映像R1を液晶パネル２５に書き込む。その次に、パネル駆動部２４は、印加電圧を反転させて映像L1を液晶パネル２５に書き込み、次も印加電圧を反転させて映像R1を液晶パネル２５に書き込む。
【００４９】
それ以降も同様の処理が繰り返される。すなわち、映像L2およびR2については、映像L2（正転）、映像R2（正転）、映像L2（反転）、映像R2（反転）の順で、映像が液晶パネル２５に書き込まれる。
【００５０】
図５Aに示した駆動制御を、２Dの映像A，B，Cを順次表示させる場合に対応させると、図５Bに示すように、映像A（正転）、映像B（正転）、映像A（反転）、映像B（反転）の順で、映像が液晶パネル２５に書き込まれることになる。即ち、映像A，Bが、その順で印加電圧を正転させて液晶パネル２５に書き込まれた後、映像A,Bが、その順で印加電圧を反転させて液晶パネル２５に書き込まれる。その次には、映像C，Dが印加電圧を正転させて液晶パネル２５に書き込まれ、映像C,Dが印加電圧を反転させて書き込まれる。
【００５１】
換言すれば、液晶プロジェクタ１１で３Dの映像を投影するときの方式を、図２Aに示した従来の方式と比較すると、液晶プロジェクタ１１は、映像A（反転）と映像B（正転）を時間軸方向に入れ替えた駆動制御を行うと言うことができる。
【００５２】
図６は、図３に示した従来の駆動制御に対応する、液晶プロジェクタ１１におけるパネル映像および駆動極性と、光学シャッタ２の開閉とのタイミングを示す図である。
【００５３】
T11時間に映像L1が正転の印加電圧により液晶パネル２５に書き込まれた後、映像R1の液晶パネル２５への書き込みが開始されるまでのT12時間において、制御部２７は、光学シャッタ２を開ける。T12時間の次のT21時間において、映像R1が正転の印加電圧により液晶パネル２５に書き込まれ、制御部２７は、映像L1の液晶パネル２５への書き込みを開始するまでのT22時間において光学シャッタ２を開ける。
【００５４】
さらに、T22時間の次のT31時間に、映像L1が反転の印加電圧により液晶パネル２５に書き込まれた後、制御部２７は、映像R1の液晶パネル２５への書き込みを開始するまでのT32時間において光学シャッタ２を開ける。T32時間の次のT41時間において、映像R1が反転の印加電圧により液晶パネル２５に書き込まれた後、制御部２７は、映像L2の液晶パネル２５への書き込みを開始するまでのT42時間において光学シャッタ２を開ける。
【００５５】
映像信号入力部２１には、左目用の映像信号と右目用の映像信号が２４Hz周期で入力され、フレームメモリ２３に書き込まれるので、それに対応して、映像L1（正転）、映像R1（正転）、映像L1（反転）、および映像R1（反転）を順次読み出し、液晶パネル２５に書き込む処理も、２４Hz周期で行われる。その結果、２４Hzの一周期期間内に２回、映像が表示されることになる。
【００５６】
従って、液晶プロジェクタ１１では、２４Hz周期の２倍の４８Hz周期で３D映像を表示させることができるので、フリッカを大幅に低減させることが可能となる。
【００５７】
次に、図７を参照して、映像L（正転）、映像R（正転）、映像L（反転）、および映像R（反転）のフレームメモリ２３からの読み出しについてさらに説明する。図７は、フレームメモリ２３の詳細な構成例を示している。
【００５８】
フレームメモリ２３は、２つのバンク２３Aおよび２３Bにより構成され、バンク２３Aまたは２３Bのそれぞれは、左目用と右目用の映像信号を記憶する２つのフレームメモリを有する。即ち、バンク２３Aはフレームメモリ２３ALおよび２３ARを有し、バンク２３Bはフレームメモリ２３BLおよび２３BRを有している。
【００５９】
バンク２３Aおよび２３Bでは、映像信号の読み出しおよび書き込みが２４Hz周期で交互に行われる。
【００６０】
例えば、２４Hz周期のある一周期期間では、制御部２７から供給された映像L2の映像信号と映像R2の映像信号がバンク２３Aのフレームメモリ２３ALおよび２３ARに書き込まれると同時に、バンク２３Bのフレームメモリ２３BLおよび２３BRに記憶されている映像L1の映像信号と映像R1の映像信号が読み出される。
【００６１】
ここで、バンク２３Bの映像信号の読み出しでは、映像L1と映像R1を、一周期期間に、映像L1、映像R1、映像L1、映像R1の順でそれぞれ２回読み出す必要があるので、読み出しの速度は、書き込みの速度の４倍となる。
【００６２】
その次の一周期期間では、制御部２７から供給された映像L3の映像信号と映像R3の映像信号がバンク２３Bのフレームメモリ２３BLおよび２３BRに書き込まれると同時に、バンク２３Aのフレームメモリ２３ALおよび２３ARに記憶されている映像L2の映像信号と映像R2の映像信号が、書き込みの４倍の速度でフレームメモリ２３AL、２３AR、２３AL、２３ARの順に読み出される。
【００６３】
なお、液晶プロジェクタ１１が２D映像を投影する場合には、バンク２３Aおよび２３Bのそれぞれ１つのフレームメモリ（例えば、フレームメモリ２３ALおよび２３BL）のみを用いて、映像信号の読み出しおよび書き込みを交互に行うことで、２D映像の表示が可能である。
【００６４】
次に、図８のフローチャートを参照して、液晶プロジェクタ１１による投影処理について説明する。この処理は、例えば、操作部２２の投影スタートボタンが操作されたときなどに開始される。
【００６５】
初めに、ステップＳ１において、制御部２７は、設定されている投影モードが３D映像を投影する投影モードであるかを判定する。ステップＳ１で、設定されている投影モードが３D映像を投影する投影モードではないと判定された場合、即ち、設定されている投影モードが２D映像を投影する投影モードである場合、処理はステップＳ２に進み、制御部２７は、２D映像をスクリーン４に表示する制御を行う。この場合、パネル駆動部２４は、図２Aを参照して説明した２D映像を表示する駆動制御を行うとともに、制御部２７は、図３を参照して説明したように光学シャッタ２を開閉制御する。そして、映像信号入力部２１に投影する映像の映像信号が入力されなくなったとき、投影処理は終了する。
【００６６】
一方、ステップＳ１で、設定されている投影モードが３D映像を投影する投影モードであると判定された場合、処理はステップＳ３に進み、制御部２７は、映像信号入力部２１から供給される右目用の映像信号と左目用の映像信号の、フレームメモリ２３のバンク２３Aへの書き込みを開始する。このステップＳ３で開始されたバンク２３Aへの書き込みは、後述するステップＳ４乃至Ｓ１１の処理が終了するまでの間、並行して実行される。
【００６７】
ステップＳ４において、制御部２７は、バンク２３Bのフレームメモリ２３BLから映像Lを読み出し、その読み出した映像Lに対応する駆動制御信号をパネル駆動部２４に供給する。これにより、パネル駆動部２４は、液晶への印加電圧を正転させて映像Lを液晶パネル２５に書き込む。
【００６８】
映像Lの書き込み終了後、ステップＳ５において、制御部２７は、通信部２６を介して制御信号を光学シャッタ２に供給し、光学シャッタ２を開けるとともに、通信部２６を介して制御信号を偏光素子３に供給し、左目用の偏光方向となるように偏光素子３を制御する。
【００６９】
ステップＳ６において、制御部２７は、通信部２６を介して制御信号を光学シャッタ２に供給し、光学シャッタ２を閉じるとともに、バンク２３Bのフレームメモリ２３BRから映像Rを読み出し、その読み出した映像Rに対応する駆動制御信号をパネル駆動部２４に供給する。これにより、パネル駆動部２４は、液晶への印加電圧を正転させて映像Rを液晶パネル２５に書き込む。
【００７０】
映像Rの書き込み終了後、ステップＳ７において、制御部２７は、通信部２６を介して制御信号を光学シャッタ２に供給し、光学シャッタ２を開けるとともに、通信部２６を介して制御信号を偏光素子３に供給し、右目用の偏光方向となるように偏光素子３を制御する。
【００７１】
ステップＳ８において、制御部２７は、通信部２６を介して制御信号を光学シャッタ２に供給し、光学シャッタ２を閉じるとともに、バンク２３Bのフレームメモリ２３BLから映像Lを読み出し、その読み出した映像Lに対応する駆動制御信号をパネル駆動部２４に供給する。これにより、パネル駆動部２４は、液晶への印加電圧を反転させて映像Lを液晶パネル２５に書き込む。
【００７２】
映像Lの書き込み終了後、ステップＳ９において、制御部２７は、通信部２６を介して制御信号を光学シャッタ２に供給し、光学シャッタ２を開けるとともに、通信部２６を介して制御信号を偏光素子３に供給し、左目用の偏光方向となるように偏光素子３を制御する。
【００７３】
ステップＳ１０において、制御部２７は、通信部２６を介して制御信号を光学シャッタ２に供給し、光学シャッタ２を閉じるとともに、バンク２３Bのフレームメモリ２３BRから映像Rを読み出し、その読み出した映像Rに対応する駆動制御信号をパネル駆動部２４に供給する。これにより、パネル駆動部２４は、液晶への印加電圧を反転させて映像Rを液晶パネル２５に書き込む。
【００７４】
映像Rの書き込み終了後、ステップＳ１１において、制御部２７は、通信部２６を介して制御信号を光学シャッタ２に供給し、光学シャッタ２を開けるとともに、通信部２６を介して制御信号を偏光素子３に供給し、右目用の偏光方向となるように偏光素子３を制御する。
【００７５】
ステップＳ１２において、制御部２７は、投影を終了するか否かを判定する。ステップＳ１２では、例えば、新たな映像信号が映像信号入力部２１から供給されない場合、または、操作部２２から投影を終了する終了ボタンが操作された場合などに、投影を終了すると判定され、その結果、処理は終了する。
【００７６】
一方、ステップＳ１２で、投影が終了ではないと判定された場合、処理はステップＳ３に戻り、上述したステップＳ３乃至Ｓ１２の処理が繰り返し実行される。但し、次に実行されるステップＳ３乃至Ｓ１２の処理では、フレームメモリ２３のうちの、映像信号が読み出されるバンクと、映像信号が書き込まれるバンクが交代する。即ち、次のステップＳ３乃至Ｓ１２の処理では、映像信号の書き込みはバンク２３Bに対して行われ、映像信号の読み出しはバンク２３Aに対して行われる。さらに次のステップＳ３乃至Ｓ１２の処理では、バンク２３Aに対して映像信号の書き込みが行われ、バンク２３Bに対して映像信号の読み出しが行われる。以下同様に繰り返され、ステップＳ１２で、投影の終了と判定された場合に、処理は終了する。
【００７７】
以上のように、図４の液晶プロジェクタ１１によれば、映像L（正転）、映像R（正転）、映像L（反転）、映像R（反転）の順で液晶パネル２５を駆動することにより、液晶デバイスに必要なDC成分の積分値がゼロとなる条件を満足しつつ、フリッカを大幅に低減させた３D映像の表示を行うことができる。
【００７８】
なお、上述した例では、映像L（正転）、映像R（正転）、映像L（反転）、映像R（反転）の順番の繰り返しで液晶パネル２５を駆動する例を示したが、正転、反転の順番は逆でもよい。即ち、映像L（反転）、映像R（反転）、映像L（正転）、映像R（正転）の順番の繰り返しで液晶パネル２５を駆動してもよい。
【００７９】
また、映像Lと映像Rの順番が逆でもよい。即ち、映像R（正転）、映像L（正転）、映像R（反転）、映像L（反転）の順番の繰り返しで液晶パネル２５を駆動してもよい。さらに、映像R（反転）、映像L（反転）、映像R（正転）、映像L（正転）の順番の繰り返しでもよい。
【００８０】
即ち、左目用かまたは右目用の映像信号のうちの一方を第１の映像信号、他方を第２の映像信号とし、液晶パネル２５に印加される電圧が正転または反転の状態のうちのいずれか一方を第１の状態、他方を第２の状態として、液晶パネル２５を、第１の映像信号に応じた第１の状態、第２の映像信号に応じた第１の状態、第１の映像信号に応じた第２の状態、第２の映像信号に応じた第２の状態の順で駆動すればよい。
【００８１】
上述した例では、３D映像を表示（投影）するか、または、２D映像を表示（投影）するかを操作部２２からの操作信号に基づいて切り替えるようにしたが、例えば、映像信号に、その映像が２D映像であるかまたは３D映像であるかを表す情報が含まれている場合には、その情報に基づいて制御を切り替えるようにすることもできる。
【００８２】
また、上述した例では、映像信号入力部２１に入力された映像信号に基づいて３D映像を投影する例について説明したが、液晶プロジェクタ１１は、リムーバブルメディア２９などから読み出した３D映像を投影することも勿論可能である。さらに、光学シャッタ２または偏光素子３は、液晶プロジェクタ１１に内蔵されていてもよい。
【００８３】
本明細書において、フローチャートに記述されたステップは、記載された順序に沿って時系列的に行われる処理はもちろん、必ずしも時系列的に処理されなくとも、並列的あるいは個別に実行される処理をも含むものである。
【００８４】
なお、本明細書において、システムとは、複数の装置により構成される装置全体を表すものである。
【００８５】
本発明の実施の形態は、上述した実施の形態に限定されるものではなく、本発明の要旨を逸脱しない範囲において種々の変更が可能である。
【図面の簡単な説明】
【００８６】
【図１】従来の３D映像投影システムの一例を示す図である。
【図２】従来の液晶パネル駆動について説明する図である。
【図３】従来の液晶パネル駆動について説明する図である。
【図４】本発明を適用した３D映像投影システムの一実施の形態の構成例を示すブロック図である。
【図５】図４の液晶プロジェクタによる液晶パネル駆動について説明する図である。
【図６】図４の液晶プロジェクタによる液晶パネル駆動について説明する図である。
【図７】フレームメモリの詳細な構成例を示す図である。
【図８】投影処理について説明するフローチャートである。
【符号の説明】
【００８７】
１１  液晶プロジェクタ，  ２３  フレームメモリ，  ２４  パネル駆動部，  ２５  液晶パネル，  ２７  制御部
【図１】
2008306335.tif 000003
【図２】
2008306335.tif 000004
【図３】
2008306335.tif 000005
【図４】
2008306335.tif 000006
【図５】
2008306335.tif 000007
【図６】
2008306335.tif 000008
【図７】
2008306335.tif 000009
【図８】
2008306335.tif 000010